(57)【要約】【課題】検索情報から電話番号情報を抽出し直接発呼する。【解決手段】ネットワークを介してファイルの内容をブラウジングするブラウザ手段１０１と、ブラウザ手段がブラウジングしているファイルの内容から電話番号の検出を行う処理を実行する検出手段１０２と、電話番号を選択するための選択手段１０５と、選択手段によって選択された電話番号で発呼処理を行う処理手段１０３と、発呼処理を開始するボタン１０５と、を具備する。【選択図】図１
2009055220.tif 000002
【特許請求の範囲】
【請求項１】
ネットワークを介してファイルの内容をブラウジングするブラウザ手段と、
前記ブラウザ手段がブラウジングしているファイルの内容から電話番号の検出を行う処理を実行する検出手段と、
前記電話番号を選択するための選択手段と、
前記選択手段によって選択された電話番号で発呼処理を行う処理手段と、
前記発呼処理を開始するボタンと、を具備することを特徴とする携帯電話端末。
【請求項２】
ネットワークを介してファイルの内容をブラウジングするブラウザ手段と、
前記ブラウザ手段が動作している間に前記内容から電話番号の検出を行う処理を実行する検出手段と、
前記電話番号を選択するための選択手段と、
前記選択手段によって選択された電話番号で発呼処理を行う処理手段と、
前記発呼処理を開始するボタンと、を具備することを特徴とする携帯電話端末。
【請求項３】
ネットワークを介してファイルの内容をブラウジングするブラウザ手段と、
前記内容を少なくとも一定期間記憶している記憶手段と、
前記記憶手段が記憶している内容から、電話番号を検出する検出手段と、
前記電話番号を選択するための選択手段と、
前記選択手段によって選択された電話番号で発呼処理を行う処理手段と、
前記発呼処理を開始するボタンと、を具備することを特徴とする携帯電話端末。
【請求項４】
前記検出手段は、電話番号に関係する文字列と関連づけを行い電話番号の検出を行うことを特徴とする請求項１から請求項３のいずれか１項に記載の携帯電話端末。
【請求項５】
前記内容を表示する表示手段をさらに具備し、
前記表示手段は、前記検出手段が検出した電話番号を、検出するより前の第１の表示様式と異なる第２の表示様式で表示し、
前記表示手段は、前記選択手段で選択された電話番号を、前記第２の表示様式とは異なる第３の表示様式で表示することを特徴とする請求項１から請求項４のいずれか１項に記載の携帯電話端末。
【請求項６】
前記表示手段は、前記処理手段が発呼処理を行う場合に、前記選択手段によって選択された電話番号を表示することを特徴とする請求項５に記載の携帯電話端末。
【請求項７】
操作部をさらに具備し、
前記検出手段は、前記操作部に特定の操作が施された場合に、電話番号の検出を行う処理を開始することを特徴とする請求項１から請求項６のいずれか１項に記載の携帯電話端末。
【発明の詳細な説明】
【技術分野】
【０００１】
本発明は、特に発呼における電話番号入力補助を行う携帯電話端末に関する。
【背景技術】
【０００２】
これまでの携帯電話端末は、ネット検索してきた情報や記憶文章ファイルの中に記述してある電話番号と、電話としての機能がリンクしておらず、利用者が電話番号のメモを取らなくてはならないなど不便であった。
【０００３】
携帯電話端末以外の電話システムでは、氏名と電話番号とを関連付けた電話帳データベースをサーバに記憶しておき、氏名を検索して表示された電話番号を選択し、この電話番号で発呼を行う技術がある（例えば、特許文献１参照）。
【特許文献１】特開２００３−２９９１４８公報
【発明の開示】
【発明が解決しようとする課題】
【０００４】
この電話システムでは、サーバに電話帳データベースと電話番号検索機能を持っていなければならず、電話だけで電話番号を検索することができない。さらに、テキストファイル等の内容から電話番号を取得することはできない。
【０００５】
このように従来の携帯電話端末においては、検索情報を直接用いて発呼ができないという問題がある。
【０００６】
この発明は、上述した事情を考慮してなされたものであり、検索情報から電話番号情報を抽出し直接発呼する電話番号入力補助をする携帯電話端末を提供することを目的とする。
【課題を解決するための手段】
【０００７】
上述の課題を解決するため、本発明の携帯電話端末は、ネットワークを介してファイルの内容をブラウジングするブラウザ手段と、前記ブラウザ手段がブラウジングしているファイルの内容から電話番号の検出を行う処理を実行する検出手段と、前記電話番号を選択するための選択手段と、前記選択手段によって選択された電話番号で発呼処理を行う処理手段と、前記発呼処理を開始するボタンと、を具備することを特徴とする。
【０００８】
また、本発明の携帯電話端末は、ネットワークを介してファイルの内容をブラウジングするブラウザ手段と、前記ブラウザ手段が動作している間に前記内容から電話番号の検出を行う処理を実行する検出手段と、前記電話番号を選択するための選択手段と、前記選択手段によって選択された電話番号で発呼処理を行う処理手段と、前記発呼処理を開始するボタンと、を具備することを特徴とする。
【０００９】
さらに、本発明の携帯電話端末は、ネットワークを介してファイルの内容をブラウジングするブラウザ手段と、前記内容を少なくとも一定期間記憶している記憶手段と、前記記憶手段が記憶している内容から、電話番号を検出する検出手段と、前記電話番号を選択するための選択手段と、前記選択手段によって選択された電話番号で発呼処理を行う処理手段と、前記発呼処理を開始するボタンと、を具備することを特徴とする。
【発明の効果】
【００１０】
本発明の携帯電話端末によれば、検索情報から電話番号情報を抽出し直接発呼する電話番号入力補助をすることができる。
【発明を実施するための最良の形態】
【００１１】
以下、図面を参照しながら本発明の実施形態に係る携帯電話端末について詳細に説明する。なお、以下の実施形態中では、同一の番号を付した部分については同様の動作を行うものとして、重ねての説明を省略する。  
（第１の実施形態）  
実施形態の携帯電話端末について図１を参照して説明する。  
実施形態の携帯電話端末は、ブラウザ部１０１、電話番号検出部１０２、発呼処理部１０３、表示部１０４、操作部１０５を含む。実施形態の携帯電話端末は、他に、図１に示されていないが通常の携帯電話端末には当然含まれる、例えば、アンテナ、送信部、受信部なども含む。これらの装置部分は本実施形態では本質ではないので説明を省略する。
【００１２】
ブラウザ部１０１は、ネットワークを介してファイルの内容をブラウジングする。また、ブラウザ部１０１は、ブラウジングしたファイルの内容を少なくとも一定期間記憶している。
【００１３】
電話番号検出部１０２は、ブラウザ部１０１がブラウジングしているファイルの内容から電話番号の検出を行う処理を実行する。また、電話番号検出部１０２は、ブラウザ部１０１が動作している間にブラウジングしているファイルの内容から電話番号の検出を行う処理を実行する。さらに、電話番号検出部１０２は、ブラウザ部１０１に記憶されているファイルの内容から、電話番号を検出してもよい。電話番号検出部１０２は、検出した電話番号を発呼処理部１０３へ渡す。  
また、電話番号検出部１０２は、検出した電話番号を表示部１０４に表示する。ユーザは表示された電話番号で発呼してもよいと判断した場合には、特定のボタンを押下し、発呼処理部１０３にこの電話番号で発呼する指示をする。
【００１４】
発呼処理部１０３は、電話番号検出部１０２から取得した電話番号で発呼処理を開始する。発呼処理部１０３は、電話番号検出部１０２から電話番号を取得するとすぐに発呼を開始してもよいが、操作部１０５からの、発呼してよいという指示を受けるまで待機していて、発呼してよいという指示を受けたらすぐに発呼を開始してもよい。
【００１５】
表示部１０４は、ブラウザ部１０１がブラウジングしているファイルの内容を表示する。また、表示部１０４は、電話番号検出部１０２が検出した電話番号を表示する。さらに、発呼処理部１０３が発呼処理を開始した旨を、例えば、発呼処理を開始した電話番号を点滅させるなどして表示する。
【００１６】
操作部１０５は、携帯電話端末を操作するためのボタン等を備え、ブラウザ部１０１の操作、電話番号検出部１０２の電話番号を検出する処理を開始させたり、発呼処理部１０３に検出した電話番号で発呼処理を開始せよとの指示を行う。
【００１７】
次に、本実施形態の携帯電話端末によって検出された電話番号で発呼される様子について図２を参照して説明する。  
従来の携帯電話端末を利用した電話番号検索の方法では、ウェブ（Ｗｅｂ）を利用した店舗検索において検索結果である電話番号と携帯電話端末の発呼機能がリンクしておらず、調べた結果をメモしなければならないという不便さがあった。
【００１８】
この問題を解消するために、本実施形態では、図２に示すように、ウェブでの検索時に携帯電話端末の電話番号検索エンジンを動作させ、ウェブ中のホームページ、ウェブページ、または、データファイルに記載されている電話番号の表示と、実際の発呼タスクとの間で電話番号情報の受渡しを行う。
【００１９】
次に、本実施形態の携帯電話端末の動作の一例について図３を参照して説明する。  
携帯電話端末で、ユーザが操作部１０５によってブラウザ部１０１を起動させてブラウジングイベント開始し（ステップＳ３０１）、ユーザの指示を受けてブラウザ部１０１が、ウェブ中のホームページ、ウェブページ、または、ウェブから取得したテキストファイル、ＨＴＭＬファイル等のデータファイル（以下、これらをまとめて、ウェブ情報と称す）にアクセスする処理を行う（ステップＳ３０２）。すなわち、アクセスしたウェブ情報が表示部１０４に表示される。表示部１０４に表示されるウェブ情報の一例を図４に示す。ステップＳ３０２でウェブ情報にアクセスが行われると同時に、電話番号検出部１０２がアクセスされたウェブ情報に含まれる電話番号の検索を開始し（ステップＳ３０３）、電話番号検出部１０２がこのウェブ情報から電話番号を検出する（ステップＳ３０４）。電話番号の記載がないウェブ情報の場合には、もちろん、電話番号は検出されず、このウェブ情報での処理は終了する。
【００２０】
ステップＳ３０４で電話番号検出部１０２が電話番号を検出した場合には、電話番号検出部１０２が電話番号を表示部１０４に渡して表示部１０４が電話番号を表示する。ユーザは、操作部１０５によって表示された電話番号を選択するかどうか判断し、操作部１０５によって表示部１０４に表示されている電話番号を選択した場合（ステップＳ３０５）には、電話番号検出部１０２が発呼処理部１０３へ電話番号を転送する（ステップＳ３０６）。この機能により、どの番号に対して発呼するのかが明確となり、電話番号の誤入力を減らすことが可能となる。
【００２１】
発呼処理部１０３は、電話番号を受けて、この電話番号で発呼を開始する用意を開始する（発呼イベント起動、ステップＳ３０７）。発呼処理部１０３は、ステップＳ３０６で受け取った電話番号で発呼することを決定し（ステップＳ３０８）、発呼処理を開始する（ステップＳ３０９）。その後、携帯電話端末は通常の電話処理を行う（ステップＳ３１０）。なお、ステップＳ３０７からステップＳ３１０までは、表示部１０４に発呼画面を表示してもよい。発呼画面には、例えば、かけた電話番号が表示される。この機能により、発呼番号がより明確となり、電話番号の誤入力を減らすことが可能となる。ここまでが、本実施形態の携帯電話端末での電話番号を検出し発呼処理を行う１つのルーチンである。その後、例えば図３に示したように、新たなウェブ情報にアクセスし（ステップＳ３１１）、このアクセスしたウェブ情報で電話番号の検索を行う（ステップＳ３１２）といった処理に進む。
【００２２】
なお、ステップＳ３０６で電話番号検出部１０２が発呼処理部１０３へ電話番号を転送するのではなく、ステップＳ３０４で電話番号検出部１０２が電話番号を検出した場合に、電話番号検出部１０２が電話番号を表示部１０４だけでなく発呼処理部１０３にも渡して、操作部１０５によって表示部１０４に表示されている電話番号を選択した場合（ステップＳ３０５）に、発呼処理部１０３が発呼イベントを起動してもよい。このように、これらの動作は種々変形することができる。
【００２３】
この第１の実施形態の方法によると、携帯電話端末は、ウェブ情報の内容表示を行うブラウジング処理を実施するが、その際に電話番号検出部１０２で文字検索エンジンを実行させ、電話番号情報を獲得する（ステップＳ３０４、Ｓ３０５）。ここで、電話番号情報獲得のために文字検索で利用する情報として、通常では電話番号であると認識されるような文字列の特徴、例えば、１０桁の数字の連続、０で始まる数字列、（＊＊＊）＊＊＊−＊＊＊＊，（＊＊＊＊）＊＊−＊＊＊＊などの記述（＊は０〜９の数字）、電話、でんわ、Ｔｅｌ、Ｔｅｌｅｐｈｏｎｅの後ろに続く（あるいは同じ列内に記述してある）数字列、を利用する。電話番号検出部１０２は、これらの電話番号に関係する文字列と関連づけを行うことにより、比較的容易に電話番号情報を抽出することが可能となる。ブラウジング処理を行っている傍ら、利用者の意思により電話発呼処理が起動した場合、抽出した電話番号情報は発呼タスクに受け渡され（ステップＳ３０７〜Ｓ３０９）、通常の通話モードとして処理が為される（ステップＳ３１０）。
【００２４】
以上の第１の実施形態によれば、ネットワークを介してブラウジングしているファイルの内容から電話番号を検索し、電話番号の検出を行い、この電話番号で発呼処理を行うことにより、ブラウジング表示結果より電話番号を抽出し、書き写す、コピーする等の不要な処理を行う必要なく電話をかけることが可能となり、利用者の利便性を増すことが可能となる。
【００２５】
（第２の実施形態）  
本実施形態の携帯電話端末は、第１の実施形態と異なり、ステップＳ３０４で検出した電話番号をある表示様式で表示部１０４に表示し、ステップＳ３０５で電話番号を選択したか否かで電話番号の表示様式を変化させる。表示様式は、例えば、ハイライト表示（図５）、下線を付す表示、文字を点滅させる表示である。例えば、ステップＳＳ３０４ではハイライト表示で電話番号を表示し、ステップＳ３０５では電話番号が選択された場合には下線を付す。この機能により、どの番号が選択されているか明確となり、電話番号の誤入力を減らすことが可能となる。本実施形態の携帯電話端末の動作の一例について図６を参照して説明する。図６のフローチャートは、図３のフローチャートのステップＳ３０４とステップＳ３０５が異なるだけである。
【００２６】
ステップＳ３０３で、電話番号検出部１０２がアクセスされたウェブ情報に含まれる電話番号の検索を開始すると、電話番号検出部１０２が、このウェブ情報から電話番号を検出し、表示部１０４に表示されているウェブ情報に、検出する前に表示してあった電話番号の表示様式とは異なった表示様式で検出された電話番号を表示させる（ステップＳ６０１）。例えば、図５に示したようなハイライト表示をする。この他に、例えば、ステップＳ３０２で表示されたウェブ情報の表示を一時的に止め、検出された電話番号のみを表示してもよいし、ウェブ情報を表示しつつ検出された電話番号を表示部１０４の表示画面の例えば片隅に表示してもよい。
【００２７】
ステップＳ６０１で、電話番号検出部１０２が電話番号を検出した場合には、電話番号検出部１０２が電話番号を表示部１０４に渡して表示部１０４が電話番号を表示する。ユーザは、操作部１０５によって表示された電話番号を選択するかどうか判断し、操作部１０５によって表示部１０４に表示されている電話番号を選択したかどうかによって、表示部１０４に表示された電話番号の表示様式をステップＳ６０１での表示様式から変更する（ステップＳ６０２）。
【００２８】
この第２の実施形態の方法によると、電話番号検出部１０２の文字検索エンジンにより検出された電話番号を通常の表示と変化させて示すことで、どの番号が取り込まれるかを示す。
【００２９】
以上の第２の実施形態によれば、携帯電話端末利用者が意図しない番号を選択することを防ぐことが可能となり、利用者の利便性を増すことが可能となる。
【００３０】
（第３の実施形態）  
本実施形態の携帯電話端末は、上記の実施形態と異なり、ステップＳ３０１でブラウザ部１０１を起動させてブラウザ処理が実行される（ステップＳ３０２）と共に、電話番号検出部１０２が電話番号検索を行わず、ユーザが操作部１０５によって電話番号検出部１０２による電話番号検索を行うかどうかを決定する。すなわち、本実施形態ではユーザが必要であると判断した場合にのみ電話番号検索を行う。ユーザが電話番号検索を起動しようとする場合には、ユーザは操作部１０５に特定の操作を行う。例えば、操作部１０５の特定のボタンを押下する。
【００３１】
この第３の実施形態の方法によると、携帯電話端末はウェブ情報の内容表示を行うブラウジング処理を実施するが、端末利用者は自らの意思により文字検索エンジンを実行させ、電話番号情報を獲得する。
【００３２】
以上の第３の実施形態によれば、不要にブラウジングタスクの処理負荷を増すことを防ぐことが可能となり、利用者の利便性を増すことが可能となる。
【００３３】
以上に示した実施形態によれば、検索情報から電話番号情報を抽出し直接発呼することができる。
【００３４】
上記の実施形態の携帯電話端末は、主に携帯電話に応用することを想定しているが、他に、Ｓｋｙｐｅなどの電話番号を入力して通話を行う機能を持つＰＣ、ＰＤＡ、などの電子機器に利用することが可能である。
【００３５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３６】
【図１】実施形態の携帯電話端末のブロック図。
【図２】図１の携帯電話端末によって電話番号で発呼される様子を示す図。
【図３】第１の実施形態の携帯電話端末の動作の一例を示すフローチャート。
【図４】第１の実施形態での図１の表示部に表示される表示例を示す図。
【図５】第２の実施形態での図１の表示部に表示される表示例を示す図。
【図６】第２の実施形態の携帯電話端末の動作の一例を示すフローチャート。
【図７】第３の実施形態の携帯電話端末の動作の一例を示すフローチャート。
【符号の説明】
【００３７】
１０１・・・ブラウザ部、１０２・・・電話番号検出部、１０３・・・発呼処理部、１０４・・・表示部、１０５・・・操作部。
【図１】
2009055220.tif 000003
【図２】
2009055220.tif 000004
【図３】
2009055220.tif 000005
【図４】
2009055220.tif 000006
【図５】
2009055220.tif 000007
【図６】
2009055220.tif 000008
【図７】
2009055220.tif 000009